(57)【要約】【課題】ハンドルとカバーとを併設したものであっても、製品サイズを大きくすることなくカバーの開口を大きく確保して、バッテリー等の着脱を容易とする。【解決手段】集塵機は、タンクと、モータを収容してタンクの上部に着脱可能な本体と、を備え、本体の上部に、ハンドル回転軸３２を中心に起伏可能なハンドル３１と、カバー回転軸６１を中心に開閉可能で、閉塞位置で本体に設けた収容部を覆うカバー５８と、を併設しており、ハンドル回転軸３２とカバー回転軸６１とを互いに平行に、且つ互いに相手側の回転軸を越えて相手側のハンドル３１又はカバー５８とオーバーラップするように配置している。【選択図】図４
2015150148.tif 000002
【特許請求の範囲】
【請求項１】
タンクと、
モータを収容して前記タンクの上部に着脱可能な本体と、を備え、
前記本体の上部に、ハンドル回転軸を中心に起伏可能なハンドルと、カバー回転軸を中心に開閉可能で、閉塞位置で前記本体に設けた収容部を覆うカバーと、を併設した集塵機であって、
前記ハンドル回転軸と前記カバー回転軸とを互いに平行に、且つ互いに相手側の回転軸を越えて相手側の前記ハンドル又は前記カバーとオーバーラップするように配置したことを特徴とする集塵機。
【請求項２】
前記収容部には、バッテリーを接続するためのバッテリー接続部が設けられていることを特徴とする請求項１に記載の集塵機。
【請求項３】
前記本体の前部に、前記モータを起動するためのスイッチを配置し、前記スイッチの後方側に前記ハンドルを、前記ハンドルの後方側に前記カバーをそれぞれ配置したことを特徴とする請求項１又は２に記載の集塵機。
【請求項４】
前記本体の上面には、倒伏位置の前記ハンドルに面した逃がし凹部が形成されていることを特徴とする請求項１乃至３の何れかに記載の集塵機。
【請求項５】
前記本体に、パイプを支持可能なパイプ支持部が設けられて、前記カバーは、開閉時に前記パイプ支持部に支持されたパイプと干渉しない形状となっていることを特徴とする請求項１乃至４の何れかに記載の集塵機。
【請求項６】
タンクと、
モータを収容して前記タンクの上部に着脱可能な本体と、を備えた集塵機であって、
前記本体の前部に、前記モータを起動するためのスイッチを配置し、
前記本体の後部に、バッテリーを接続するためのバッテリー接続部を配置し、
前記本体の上部に、左右方向に延びるハンドルを配置したことを特徴とする集塵機。
【発明の詳細な説明】
【技術分野】
【０００１】
本発明は、塵埃等を貯留するタンクの上部に、駆動部を備えた本体を着脱可能に設けた集塵機に関する。
【背景技術】
【０００２】
集塵機は、タンクの上部に、例えば送風ファンを備えたモータを駆動部として収容した本体を着脱可能に載置してなり、モータの駆動によって送風ファンが回転すると、タンクに設けた吸込口に接続したホースを介して外気を吸い込み、タンク内及び本体を通過させることで、外気と共に吸い込まれた塵埃等をタンク内に設けたフィルタで捕捉してタンク内に貯留する。また、本体の上面には、移動等を容易にするためにハンドルが設けられている（例えば特許文献１）。
【先行技術文献】
【特許文献】
【０００３】
【特許文献１】特開２０１０−１１９５０５号公報
【発明の概要】
【発明が解決しようとする課題】
【０００４】
このような集塵機においては、バッテリーを電源として本体に着脱可能として、バッテリーの収容部をカバーによって開閉可能としたものがある。しかし、ハンドルとカバーとを併設すると、本体サイズ、ひいては製品サイズが大きくなり、かといって製品サイズを小さくするとカバーが小さくなって開口を大きく取れず、バッテリーの着脱がしにくくなってしまう。
【０００５】
そこで、本発明は、ハンドルとカバーとを併設したものであっても、製品サイズを大きくすることなくカバーの開口を大きく確保でき、バッテリー等の着脱が容易となる集塵機を提供することを目的としたものである。
【課題を解決するための手段】
【０００６】
上記目的を達成するために、請求項１に記載の発明は、タンクと、モータを収容してタンクの上部に着脱可能な本体と、を備え、本体の上部に、ハンドル回転軸を中心に起伏可能なハンドルと、カバー回転軸を中心に開閉可能で、閉塞位置で本体に設けた収容部を覆うカバーと、を併設した集塵機であって、ハンドル回転軸とカバー回転軸とを互いに平行に、且つ互いに相手側の回転軸を越えて相手側のハンドル又はカバーとオーバーラップするように配置したことを特徴とするものである。
請求項２に記載の発明は、請求項１の構成において、収容部には、バッテリーを接続するためのバッテリー接続部が設けられていることを特徴とするものである。
請求項３に記載の発明は、請求項１又は２の構成において、本体の前部に、モータを起動するためのスイッチを配置し、スイッチの後方側にハンドルを、ハンドルの後方側にカバーをそれぞれ配置したことを特徴とするものである。
請求項４に記載の発明は、請求項１乃至３の何れかの構成において、本体の上面には、倒伏位置のハンドルに面した逃がし凹部が形成されていることを特徴とするものである。
請求項５に記載の発明は、請求項１乃至４の何れかの構成において、本体に、パイプを支持可能なパイプ支持部が設けられて、カバーは、開閉時にパイプ支持部に支持されたパイプと干渉しない形状となっていることを特徴とするものである。
請求項６に記載の発明は、タンクと、モータを収容してタンクの上部に着脱可能な本体と、を備えた集塵機であって、本体の前部に、モータを起動するためのスイッチを配置し、本体の後部に、バッテリーを接続するためのバッテリー接続部を配置し、本体の上部に、左右方向に延びるハンドルを配置したことを特徴とするものである。
【発明の効果】
【０００７】
本発明によれば、ハンドルとカバーとを併設したものであっても、製品サイズを大きくすることなくカバーの開口を大きく確保でき、バッテリー等の着脱を容易とすることができる。
【図面の簡単な説明】
【０００８】
【図１】集塵機の前方からの斜視図である。
【図２】集塵機の後方からの斜視図である。
【図３】集塵機の縦断面図である。
【図４】ハンドル及びカバーの連結部分の拡大断面図である。
【図５】集塵機の後方からの斜視図である（カバーは開放位置、電源コードは未接続）。
【図６】集塵機の後方からの斜視図である（カバーは開放位置、電源コードは接続）。
【図７】コード接続部の拡大断面図である。
【図８】集塵機の後方からの斜視図である（電源コードは接続）。
【図９】収納ボックスを結合した集塵機の後方からの斜視図である（カバーは開放位置、電源コードは接続）。
【図１０】収納ボックスを結合した集塵機の後方からの斜視図である（カバーは閉塞位置、電源コードは接続）。
【図１１】収納ボックスを結合した集塵機の平面図である。
【図１２】収納ボックスの結合部分の拡大断面図である。
【図１３】変更例のプラグ受を有する集塵機の後方からの斜視図である（カバーは開放位置、電源コードは未接続）。
【図１４】変更例のプラグ受を有する集塵機の後方からの斜視図である（カバーは開放位置、電源コードは接続）。
【図１５】コード接続部の拡大断面図である。
【発明を実施するための形態】
【０００９】
以下、本発明の実施の形態を図面に基づいて説明する。
図１，２は、集塵機の一例を示す外観図、図３はその縦断面図で、集塵機１は、上端を開口したタンク２の上方に、駆動部となるモータ１１及び送風ファン１６を備えた本体３を載置してなり、本体３の載置状態でタンク２の左右に設けたラッチ４，４を本体３の側面に係止させることで、本体３はタンク２に対して着脱可能に結合される。タンク２の前面には、図示しないホースを接続可能な吸込口５が設けられており、タンク２の下部には、前後に一対ずつキャスタ６，６・・（後側のキャスタ６，６はストッパ付き）が設けられている。吸込口５には、タンク２内へ吸い込まれる空気を下向きにガイドするガイド筒７が装着されている。
【００１０】
本体３は、タンク２の開口を閉塞する下カウリング８と、その下カウリング８に結合されて本体３の上面及び周面を覆う上カウリング９とを有し、上下カウリング８，９の間で本体３の略中央には、モータ１１の収容部１０が形成されている。モータ１１は、収容部１０内に固定される固定子１２と、その固定子１２の中心に位置する回転子１３とを有し、回転子１３の軸心に設けた出力軸１４が、収容部１０に設けた上下の軸受１５，１５によって下向きに軸支されて、収容部１０から突出する出力軸１４の下端に送風ファン１６が固着されている。下カウリング８には、収容部１０の真下で下方に突出する筒部１７が形成されて、筒部１７の中央に設けられた吸気口１８が、出力軸１４の下方で同軸に位置している。
【００１１】
また、下カウリング８と収容部１０との間には、送風ファン１６を通過した空気の排出路１９が形成されており、この排出路１９は、上カウリング９の左右の側面に形成された排気口２０，２０・・と連通している。２１は、排出路１９に配置された吸音材（スポンジ）である。さらに、下カウリング８とタンク２の開口との間には、筒部１７の外周を覆う筒状のフレーム２３を支持する支持盤２２が設けられて、フレーム２３にフィルタ２４が設けられている。フィルタ２４の外側で支持盤２２には、図示しない袋状のプレフィルタの内側に位置して吸込み時に収縮したプレフィルタを元の形状に復帰させる弾性部材２５が設けられている。
【００１２】
一方、本体３の正面には、操作盤２６が設けられている。この操作盤２６には、ダイヤル式の運転スイッチ２７と、同じくダイヤル式の吸込力調整ツマミ２８と、後述するバッテリーパックの２個の装着状態及び残容量状態を示す表示部２９ａ，２９ｂとが設けられている。ここでは操作盤２６の上方にも、押し下げ式の運転スイッチ３０が設けられている。この運転スイッチ３０は、左右に滑り止めとなる複数の突起３０ａと、その間に配置されるスイッチ表示部３０ｂとを有し、前方上部で左右に延びるように大型に形成されているため、使いやすくなっている。また、図３に示すように前方へ向かうに従って下り傾斜する傾斜部３０ｃを備えているので、より操作しやすくなっている。これらは操作盤２６の裏側に設けられた図示しないコントローラに接続されている。
また、本体３の上部には、ハンドル３１が設けられている。このハンドル３１は、倒コ字状で、図４に示すように、左右両端の内側へ対向状に突設されたハンドル回転軸３２，３２を、前後方向の中央で上カウリング９に設けた受け部３３，３３に挿入して保持させることで、上カウリング９から上方へ突出する起立位置と、前方へ倒伏する倒伏位置との間を回転可能に連結されている。倒伏位置では、上カウリング９の上面に凹設された同形状の凹部３４に嵌合して、ハンドル３１は上カウリング９の上面から突出しないようになっている。３５は凹部３４の後方中央で凹部３４と連続状に上カウリング９に形成されて倒伏位置からのハンドル３１の引き出しを容易とする逃がし凹部である。
【００１３】
そして、上カウリング９の後部で左右方向の中央には、収容部３６が形成されている。この収容部３６は、後面中央を上カウリング９の最後面よりも前方に位置させ、上面中央を上カウリング９の最上面よりも下方に位置させた凹状部で、後面には、バッテリーパック３８が着脱可能なバッテリー接続部３７が２つ設けられている。バッテリーパック３８は、電動工具の電源としても用いられるもので、複数の蓄電池を収容したケースの上面に、左右のレール部の間に接続端子を配置した結合部を設けた周知の構成となっている。よって、バッテリー接続部３７は、バッテリーパック３８を装着する電動工具の形態と同様に、結合部のレール部が嵌合可能な左右一対のガイドレール３９，３９を上向きに備えてその間に端子板４１，４１を有する端子台４０を上向きに設けた構成となって、バッテリーパック３８を縦向きにして上方からバッテリー接続部３７に差し込み装着可能としている。このため、バッテリーパック３８の差し込みがしやすくなっている。また、収容部３６の上面には、横断面が半円状の凹み部４２が左右方向に形成されて、工具等の小物を収容可能としている。
【００１４】
また、収容部３６の左右で上カウリング９には、上カウリング９の最上面よりも低くなる段部４３，４３が形成されており、このうち右側の段部４３には、図５に示すように、コード接続部４６が設けられている。このコード接続部４６は、段部４３を形成する縦板部４４に、金属端子４８を内設したプラグ受４７を後ろ向きに設けると共に、プラグ受４７の後方で横板部４５の後端に起立片４９を立設したものである。電源コード５０は、図６，７に示すように、一端にプラグ受４７に差し込まれる接続プラグ５１を、他端にコンセントに差し込まれる図示しない差込プラグをそれぞれ有し、接続プラグ５１の端部には、コードよりも大径の曲げ規制部５２が連設されて、接続プラグ５１の差込状態では、電源コード５０が起立片４９の上方を通るようになっている。
【００１５】
さらに、起立片４９の内側で横板部４５には、弾性カバー５３の基端がネジ５４によって固定されて、電源コード５０が差し込まれない状態では、弾性カバー５３の先端部５５を起立片４９の上端へ延長上に載置可能となっている。電源コード５０が差し込まれる際には、接続プラグ５１に当接した弾性カバー５３が内側へ折曲して先端部５５を起立片４９の上から退避させる。
加えて、横板部４５の左右には、プラグ受４７に差し込まれた接続プラグ５１の左右に位置する小リブ５６，５６が立設されている。
一方、左側の段部４３とハンドル３１との間で上カウリング９には、ホースに接続される延長用のパイプに設けた図示しないフックを係止させてパイプを上下方向に支持可能なパイプ支持部５７が設けられている。このパイプ支持部５７は、支持した状態のパイプがカバー５８の開閉に支障ないように、且つハンドル３１が起立した状態でも干渉しないように配置されている。
【００１６】
５８は、収容部３６と左右の段部４３，４３とを覆うカバーで、収容部３６及び段部４３，４３の上方を覆う上板部５９と、収容部３６の後方及び段部４３，４３の後方及び側方を覆う後板部６０とを有する。上板部５９の前端部は、ハンドル３１の両端部間に収まる幅で前方へ延びており、ハンドル３１のハンドル回転軸３２と逃がし凹部３５との間で左右方向のカバー回転軸６１によって上カウリング９に連結されている（図４）。よって、カバー５８は、上板部５９が上向きとなるように回転して収容部３６及び段部４３，４３を開放する開放位置と、上板部５９が上カウリング９の上面と延長面上にあって収容部３６及び段部４３，４３を覆う閉塞位置との間で回転可能となる。このようにカバー５８のカバー回転軸６１をハンドル回転軸３２よりも前方に配置したことで、上板部５９の前後寸法を長く形成して開放位置では収容部３６を大きく開放できるようになっている。また、後板部６０の下端にはフック６２が設けられて、カバー５８の閉塞位置で下カウリング８に設けた被係止部６３に弾性係止するようになっている。
【００１７】
また、カバー５８の後板部６０の右側には、閉塞位置でコード接続部４６の起立片４９が嵌合する切欠き６４が形成されている。この切欠き６４は、起立片４９の高さよりも深く形成されて、起立片４９への嵌合状態で起立片４９との間に、図８に示すように電源コード５０が通過可能な空間を形成するようになっている。電源コード５０がない場合は、弾性カバー５３の先端部５５が嵌合して当該空間を塞ぐことになる（図２）。
さらに、カバー５８の上板部５９の内面には、プラグ受４７に電源コード５０の接続プラグ５１を差し込んでカバー５８を閉塞位置へ回転させた状態で電源コード５０の曲げ規制部５２に上方から当接する抜け防止部としての抜け止め突起６５が突設されている。これにより、電源コード５０の抜け方向では接続プラグ５１が抜け止め突起６５に干渉することで、プラグ受４７からの電源コード５０の抜けが防止されることになる。
【００１８】
そして、上板部５９の左右の端縁には、折曲部６６，６６が形成されている。この折曲部６６は、カバー５８の閉塞位置で、凹部３４の形成によって収容部３６の左右で上カウリング９に立ち上げ形成される立ち上げ部６７，６７の外側に位置する。また、折曲部６６には、ハンドル３１のハンドル回転軸３２との干渉を回避する逃げ部６８が形成されて、折曲部６６の後端は後板部６０と繋がっている。さらに、折曲部６６の内側でカバー５８の内面には、上板部５９の内面に立設される帯板部７０と、後板部６０の内面に立設される傾斜板部７１とからなる一対の横リブ６９，６９が形成されている。この横リブ６９は、カバー５８の閉塞位置で収容部３６の左右の内側面の内側に位置するもので、内側面には、カバー５８の閉塞位置で帯板部７０が当接する上当接段部７２と、傾斜板部７１が当接する下当接段部７３とが形成されている。上板部５９の前側でも、帯板部７０，７０の前端間を繋ぐ帯板状の前リブ７４が形成されて、カバー５８の閉塞位置で、収容部３６の前面に形成した前当接段部７５に当接可能となっている。
【００１９】
よって、カバー５８の閉塞位置では、折曲部６６に加えて横リブ６９や前リブ７４によって収容部３６の密閉が図られるため、収容部３６への水や塵埃の浸入を効果的に防止することができる。なお、左側の段部４３にも、立ち上げ部６７と連続しカバー５８の閉塞位置で横リブ６９の外側に位置する小リブ７６が立設されて、右側の段部４３の小リブ５６と共に収容部３６への水等の浸入を防止するようにしている。また、収容部３６の底面後端には、左右の下当接段部７３，７３と連続し、カバー５８の閉塞位置で後板部６０の内側に位置する返し部７７が立設されて、収容部３６への水等の浸入防止を図っている。さらに、コード接続部４６においても、カバー５８及び左右の小リブ５６によって水等の浸入防止が図られる。
【００２０】
一方、集塵機１の後方で下カウリング８には、被係止部６３の左右に位置する一対の結合部７８，７８が設けられて、ここに収納ボックス７９が結合可能となっている。収納ボックス７９は、図９〜図１１に示すように、上方を開口したポケット状で、前壁部８０は、タンク２の外周に合わせた湾曲状となって、内部には、左右の仕切板８１，８１によって、予備のバッテリーパック２つ等を収納可能な第１収納部８２が形成されると共に、その両側に、筒状の保持部８４を上向きに有してパイプ等のアタッチメントを収納可能な第２収納部８３が形成されている。また、前壁部８０の上端前面で左右には、平面視がＴ字状となる一対の嵌合突起８５，８５が突設されている。
結合部７８は、嵌合突起８５を上方から受け入れ可能なＴ字状の溝で、カバー５８の開放位置で結合部７８，７８が露出し、閉塞位置でカバー５８の後板部６０の下端が結合部７８，７８の上方に位置するようになっている。
【００２１】
よって、カバー５８を開放位置に回転させた状態で、収納ボックス７９の各嵌合突起８５を上方から結合部７８に嵌合させることで、収納ボックス７９は下カウリング８からの吊り下げ状態で、且つ後方への抜け止めがされた状態で結合される。この状態で嵌合突起８５は結合部７８から上方へ突出しない。ここでカバー５８を閉塞位置へ回転させると、図１２にも示すように、後板部６０の下端が嵌合突起８５の上方に位置するため、カバー５８によって上方への抜け止めがされた状態となり、カバー５８を開放位置に回転させないと収納ボックス７９は取り外せない。なお、収納ボックス７９の前壁部８０の上端中央には、収納ボックス７９を結合した状態でもカバー５８のフック６２を被係止部６３へ係脱可能とする切欠部８６が形成されている。８５ａは、嵌合突起８５に形成された凹み部で、この凹み部８５ａにより、収納ボックス７９からの重みによる荷重を嵌合突起８５が弾性変形して受けることができるようになっている。
【００２２】
以上の如く構成された集塵機１においては、バッテリーパック３８を電源として使用する場合、カバー５８を開放位置へ回転させて露出した収容部３６のバッテリー接続部３７に１又は２のバッテリーパック３８を上方から装着する。そしてカバー５８を閉塞位置へ回転させると、収容部３８及び左右の段部４３，４３が覆われる。
この状態で運転スイッチ２７，３０の何れかをＯＮ操作すると、モータ１１が駆動して送風ファン１６が回転する。これにより、吸込口５に接続されたホースを介して外気がタンク２内に吸い込まれ、フィルタ２４を通過して送風ファン１６から排出路１９へ至り排気口２０から外部へ排出される。よって、フィルタ２４で捕捉された塵埃がタンク２内に貯留する。
充電等のためにバッテリーパック３８を取り外す場合は、装着時と同様にカバー５８を開放位置へ回転させれば、露出したバッテリーパック３８を上向きに抜き取ることができる。なお、カバー５８の後板部６０は、パイプ支持部５７がある左側端部の方が右側端部よりも短くなっているため、パイプ支持部５７にパイプを支持させた状態でもパイプと干渉することなくカバー５８の開閉が可能となる。
【００２３】
一方、商用電源を電源として使用する場合、カバー５８を開放位置へ回転させて露出したコード接続部４６のプラグ受４７に電源コード５０の接続プラグ５１を差し込み、カバー５８を閉塞位置へ回転させると、収容部３６及び左右の段部４３，４３が覆われる。このとき前述のように電源コード５０の曲げ規制部５２に上板部５９の抜け止め突起６５が当接して電源コード５０が抜け止めされた状態で、電源コード５０が切欠き６４から外部へ引き出される。
この状態で運転スイッチ２７，３０の何れかをＯＮ操作すると、モータ１１が駆動して送風ファン１６が回転し、前述のように外気が吸い込まれてフィルタ２４で捕捉された塵埃がタンク２内に貯留する。
電源コード５０を取り外す場合は、接続時と同様にカバー５８を開放位置へ回転させれば、抜け止め突起６５も電源コード５０から離れるため、そのまま接続プラグ５１をプラグ受４７から抜き取ることができる。
【００２４】
このように、上記形態の集塵機１によれば、コード接続部４６に接続された電源コード５０を抜け止めする抜け止め突起６５を設けたことで、簡単な構成で電源コード５０の抜け止めが可能となって電源コード５０を有するように構成できる。
特にここでは、コード接続部４６を覆うカバー５８に抜け止め突起６５を設けているので、カバー５８の閉塞と同時に電源コード５０が抜け止めされ、開放と同時に抜け止めが解除される合理的な構成となり、使い勝手も向上する。また、カバー５８によってコード接続部４６の保護（防水、防塵）も可能となる。
【００２５】
但し、抜け防止部の形態は抜け止め突起６５に限らず、コードが嵌合する切欠きを設けた板状体としたり、上カウリング側にも抜け止め突起を設けて上下の突起で電源コードを挟むようにしたり等、適宜変更可能である。また、コード接続部の位置や向きも上記形態に限らず、コード接続部とパイプ支持部とを左右逆に設けたり、コード接続部を横向きに設けたり、スペースに余裕があれば収容部に設けたり等してもよい。
さらに、集塵機の電源コードの抜け止めに限らず、電動工具の連動コンセントに接続される電源コードの抜け止めに対しても本発明は適用可能である。従って、商用電源のみを電源とするＡＣ集塵機であってもよい。
【００２６】
また、上記形態の集塵機１によれば、ハンドル回転軸３２とカバー回転軸６１とを互いに平行に、且つ互いに相手側の回転軸を越えて相手側のハンドル３１又はカバー５８とオーバーラップするように配置しているので、製品サイズを大きくすることなくカバー５８を前後に長くできてカバー５８の開口を大きく確保することができる。従って、収容部３６へのバッテリーパック３８の着脱が容易となる。
【００２７】
但し、上記形態では、ハンドルの両端部間にカバーの上板部を延ばしてカバー回転軸をハンドル回転軸よりも前方に配置しているが、これと逆に、ハンドルの左右方向の寸法を小さくしてハンドルの両端部の外側にカバーの上板部の左右端をそれぞれ延ばすことでカバー回転軸をハンドル回転軸よりも前方に配置することもできる。また、ハンドルの両端部とカバーの上板部の左右端とを左右にずらして互いの回転軸にオーバーラップさせることも可能である。
さらに、カバーによって覆われる収容部には、付属品や工具等のみを収容可能としてもよい。
【００２８】
そして、上記形態の集塵機１によれば、着脱式の収納ボックス７９を集塵機１に設けることができる。特に、カバー５８は、収容部３６の閉塞位置で収納ボックス７９の外れ方向への移動を規制するようにしたことで、着脱式の収納ボックス７９を、結合時には確実に固定できると共に、取り外しはカバー５８の開放によって容易に行うことができる。
【００２９】
但し、カバーは、上下方向での開閉動作に限らず、左右方向で開閉動作するものであってもよいし、カバー回転軸による回転に限らず、上下方向や左右方向のスライドによって収容部を開閉するものであっても本発明は適用できる。
また、収納ボックスの結合は、上記形態に限らず、結合部と嵌合突起との数を増やしたり、嵌合形状を変えたり（例えばＴ字状でなくアリ溝状の嵌合とする）等適宜変更可能である。
さらに，収納ボックス自体の構造も、仕切板を増やしたり、仕切板や保持部を省略したり、収納部に開閉蓋を設けたりする等、上記形態に限定されない。
【００３０】
一方、図１３に示すように、電源コード５０を接続するプラグ受８７が、上カウリング９に組み込まれておらず、コード８８を引き出すことである程度フリーとなって電源コード５０が容易に接続できるようになっている集塵機１Ａであっても、図１４に示すように、接続プラグ５１を接続したプラグ受８７を段部４３上にセットした状態でカバー５８を閉塞すれば、図１５に示すように、電源コード５０の抜け方向では、カバー５８の後板部６０が接続プラグ５１と干渉して電源コード５０を抜け止めできる。このときコード８８は湾曲することで本体３の内部に収容される。
よって、この場合は後板部６０が抜け防止部となるため、上記形態のような抜け止め突起は必要なくなるが、接続プラグ５１やプラグ受８７の形態によってはさらに抜け止め突起を設けても差し支えない。
【符号の説明】
【００３１】
１，１Ａ・・集塵機、２・・タンク、３・・本体、５・・吸込口、８・・下カウリング、９・・上カウリング、１１・・モータ、１６・・送風ファン、２４・・フィルタ、３１・・ハンドル、３２・・ハンドル回転軸、３６・・収容部、３７・・バッテリー接続部、３８・・バッテリーパック、４０・・端子台、４３・・段部、４６・・コード接続部、４７，８７・・プラグ受、４９・・起立片、５０・・電源コード、５１・・接続プラグ、５２・・曲げ規制部、５８・・カバー、５９・・上板部、６０・・後板部、６１・・カバー回転軸、６５・・抜け止め突起、７８・・結合部、７９・・収納ボックス、８５・・嵌合突起。
【図１】
2015150148.tif 000003
【図２】
2015150148.tif 000004
【図３】
2015150148.tif 000005
【図４】
2015150148.tif 000006
【図５】
2015150148.tif 000007
【図６】
2015150148.tif 000008
【図７】
2015150148.tif 000009
【図８】
2015150148.tif 000010
【図９】
2015150148.tif 000011
【図１０】
2015150148.tif 000012
【図１１】
2015150148.tif 000013
【図１２】
2015150148.tif 000014
【図１３】
2015150148.tif 000015
【図１４】
2015150148.tif 000016
【図１５】
2015150148.tif 000017